(57)【要約】      （修正有）【課題】受け台に載置された大きな重量の物体によってロックがきつくなっても、小さな力でロックを容易に解除することができる物体の位置可調節受け止め具を提供すること。【解決手段】支持部材２０と受け台３４との相対する壁の間にロックレバー４２に取り付けられたロック用のローラ４６Ｒが楔状に食い込んで受け台３４を支持部材２０にロックしているが、ロックレバー４２の自由端付近に係合する突起状のロックレバー連携部５４を有するロック解除レバー５２を備え、ロックレバー連携部５４は、ロック解除レバー５２の自由端を持ち上げて、ロックレバー４２がばね付勢に抗して角度変位し、ロック用のローラ４６Ｒが楔作用から解放するように変位する。ロック解除レバー５２の自由端に付与される小さな力でも梃子の原理による倍力作用でロックレバー４２の自由端に大きな力を付与してロック用のローラ４６Ｒのきつい楔作用でも容易に解除することができる。【選択図】図４
2017227246.tif 000002
【特許請求の範囲】
【請求項１】
支持部材の縦溝内に摺動自在に嵌合された嵌合部と前記嵌合部と一体であって支持部材から突出する受け台とから成る受け部材と、前記受け部材を前記支持部材の所定高さ位置で前記支持部材に解放自在にロックして固定するロック手段とを備え、前記ロック手段は、前記受け台に枢支されたロックレバーと、前記ロックレバーを第１の方向に枢動するように付勢するばねと、前記ロックレバーの一端に取り付けられ前記ロックレバーのばね付勢によって前記受け部材と前記支持部材との相対する壁を相互に反対方向に押圧するように前記受け部材と前記支持部材との間に押し込んで前記受け部材を前記支持部材にロックするロック部材とを含み、前記ばねに抗して前記ロックレバーを前記第１の方向とは反対の第２の方向に枢動して前記ロック部材が前記受け部材と前記支持部材との間の押し込みを緩めて前記受け部材の前記支持部材に対するロックを解除することができる物体の位置可調節受け止め具において、前記受け台に枢支されたロック解除レバーを備え、前記ロック解除レバーは、前記ロックレバーを前記ばねに抗して前記第２の方向に変位するように前記ロックレバーに連携して前記ロックレバーのロックを解除するようにしたことを特徴とする物体の位置可調節受け止め具を提供することにある。
【請求項２】
請求項１に記載の物体の位置可調節受け止め具であって、前記ロック解除レバーは、前記ロック解除レバーの枢支部に対して解除操作端側又は前記ロック解除レバーの解除操作端とは反対側で連携している物体の位置可調節受け止め具。
【請求項３】
請求項１又は２に記載の物体の位置可調節受け止め具であって、前記ロック解除レバーの枢支部から解除操作端までの長さは、ロック解除レバーの枢支部からロックレバーに連携する部分までの長さよりも大きい物体の位置可調節受け止め具。
【請求項４】
請求項１乃至３のいずれかに記載の物体の位置可調節受け止め具であって、前記ロック部材は、前記支持部材の外側又は内側に配置されている物体の位置可調節受け止め具。
【請求項５】
請求項１乃至４のいずれかに記載の物体の位置可調節受け止め具であって、前記受け部材の嵌合部は、前記ロック部材による前記受け部材の押圧に伴って前記支持部材に圧接して前記受け部材と前記支持部材との間の抵抗を増大するようにした物体の位置可調節受け止め具。
【請求項６】
請求項１乃至５のいずれかに記載の物体の位置可調節受け止め具であって、前記ロック解除レバーは、前記ロックレバーのばね受け端付近に枢支されている物体の位置可調節受け止め具。
【請求項７】
請求項１乃至６のいずれかに記載の物体の位置可調節受け止め具であって、前記ロック部材は、前記受け台が前記支持部材に面する壁面と前記支持部材との間に形成されて上方に向けて次第に幅狭となるテーパ状の空間内に配置され、前記ロック部材は、前記ロックレバーの第１の方向への角度変位によって前記テーパ状の空間の幅狭方向に変位して前記受け部材を前記支持部材にロックして前記受け台を前記支持部材に固定し、前記ばねに抗して前記ロックレバーの前記第２の方向への角度変位によって前記テーパ状の空間内を幅広方向に変位して前記受け台の前記支持部材へのロックを解除するようにした物体の位置可調節受け止め具。
【請求項８】
請求項１乃至７のいずれかに記載の物体の位置可調節受け止め具であって、前記ロック解除レバーの前記ロックレバーとの連携は、前記ロック解除レバーから突出し、前記ロックレバーの相対する面に係合するロックレバー係合部である物体の位置可調節受け止め具。
【請求項９】
請求項８に記載の物体の位置可調節受け止め具であって、前記ロック解除レバーの前記ロックレバー係合部は、前記ロック解除レバーにねじ込まれた可調節押しねじである物体の位置可調節受け止め具。
【発明の詳細な説明】
【技術分野】
【０００１】
本発明は、例えば、棚柱、柱状基台の如き支持体に設けられた縦溝内に摺動自在に嵌合され、棚板、広告塔、大型テレビジョンの如き物体を受け止める受け台を含む受け部材を所定高さ位置に解放自在にロックするロック手段を備えた物体の位置可調節受け止め具に関し、特に、受け部材のロックを容易に解放することができるようにした物体の位置可調節受け止め具の改良に関するものである。
【背景技術】
【０００２】
棚柱の如き支持部材の縦溝内に摺動自在に嵌合された受け部材を適宜の高さ位置に固定するようにロックするロック手段を備えた物体の位置可調節受け止め具は、例えば、特許文献１（特公平１−１４４４６号公報）に開示されているように、既に知られている。
【０００３】
この文献に開示された受け止め具は、支持部材１（特許文献１では支柱１と称されている。以下括弧内は特許文献１で使用されている用語である）の縦溝１ｄ（空所１ｄ）内に摺動自在に嵌合された嵌合部２ａと、この嵌合部２ａと一体であって支持部材から水平に突出する受け台２ｂ（物品受部２ｂ）とから成る受け部材２（受具本体２）を備え、受け台２ｂが支持部材１に面する壁面と支持部材１との間に上方に向けて次第に幅狭とてなるテーパ状の空間（テーパ面２Ｆを含む空間）を有し、また受け台２ｂに枢支されたロックレバー３を有し、このロックレバー３の一端には、テーパ状の空間内に配置されるローラの形態のロック部材３ｂ（ストッパー３ｂ）が保持され、ロックレバー３の他端には、ロック部材３ｂがテーパ状の空間の幅狭方向に上向きに変位するように付勢されるばね４が係合している。通常では、ロックレバー３は、ばね４によってロック部材３ｂをテーパ状の空間の幅狭方向である上向きに付勢されてロック部材３ｂが受け台２ｂと支持部材１との相対する壁面を反対方向に押しつけるように受け台２ｂと支持部材１との間に押し込んで受け台２ｂを支持部材１の所定高さ位置に固定し、ばね４に抗してロックレバー３を手で押して枢動すると、ロック部材３ｂがテーパ状の空間の幅広方向である下向きに変位してロック部材３ｂの押し込みから解放されて支持部材１と受け台２ｂとのロックを解除し、受け台２ｂを支持部材１の適宜高さ位置に調節することができ、その後、ロックレバー３から手を離すと、ロックレバー３は、ばね４によって元の位置に戻って、ロック部材３ａは、再びテーパ状の空間の幅狭部分に押し込まれ、受け台２ｂは、調節された高さ位置にロックされる。
【０００４】
しかし、この特許文献１による物体の位置可調節受け止め具は、受け台２ｂの先端部付近にロックレバー３の操作部分が配置されているので、受け台２ｂの高さを調節する際に受け台２ｂを手でつかみながら指でロックレバーの操作をしなければならないため、操作がしずらい欠点があった。また、受け台２ｂ上に広告塔や大型テレビジョンの如き大きな重量の物体が載置されると、この物体の大きな重量で受け台２ｂに下向きの力が掛ってロックがきつくなり、ロックを解除するために、ロックレバーを解除方向に変位するために相当大きな力が必要となるか、ロックを解除することができなくなる虞があった。
【０００５】
この場合、ロックレバーの枢支部から自由端（ロック部材を有する側とは反対側の端部）までの長さを大きくすれば、小さな力でロックレバーを操作して受け台のロックを解除することができるが、ロックレバーを長くすると、受け台が長くなって必要以上に大型化したり、受け台からロックレバーが長く突出したりして、ロックを解除する作業と受け台の高さ位置の調節とを効率よく行うことができない欠点があった。
【先行技術文献】
【特許文献】
【０００６】
【特許文献１】特公平１―１４４４６号公報
【発明の開示】
【発明が解決しようとする課題】
【０００７】
本発明が解決しようとする課題は、受け台の高さを調節する際にロックを解除する操作を容易に行うことができる物体の位置可調節受け止め具を提供することにある。
【課題を解決するための手段】
【０００８】
本発明の課題解決手段は、支持部材の縦溝内に摺動自在に嵌合された嵌合部と前記嵌合部と一体であって支持部材から突出する受け台とから成る受け部材と、前記受け部材を前記支持部材の所定高さ位置で前記支持部材に解放自在にロックして固定するロック手段とを備え、前記ロック手段は、前記受け台に枢支されたロックレバーと、前記ロックレバーを第１の方向に枢動するように付勢するばねと、前記ロックレバーの一端に取り付けられ前記ロックレバーのばね付勢によって前記受け部材と前記支持部材との相対する壁を相互に反対方向に押圧するように前記受け部材と前記支持部材との間に押し込んで前記受け部材を前記支持部材にロックするロック部材とを含み、前記ばねに抗して前記ロックレバーを前記第１の方向とは反対の第２の方向に枢動して前記ロック部材が前記受け部材と前記支持部材との間の押し込みを緩めて前記受け部材の前記支持部材に対するロックを解除することができる物体の位置可調節受け止め具において、前記受け台に枢支されたロック解除レバーを備え、前記ロック解除レバーは、前記ロックレバーを前記ばねに抗して前記第２の方向に変位するように前記ロックレバーに連携して前記ロックレバーのロックを解除するようにしたことを特徴とする物体の位置可調節受け止め具を提供することにある。
【０００９】
本発明の課題解決手段において、前記ロック解除レバーは、前記ロック解除レバーの枢支部に対して解除操作端側で前記ロックレバーに連携していてもよいし、前記ロック解除レバーの解除操作端とは反対側で連携していてもよい。当然のことであるが、いずれの場合も、ロック解除レバーの枢支部から解除操作端までの長さは、ロック解除レバーの枢支部からロックレバーに連携する部分までの長さよりも大きくすることが必要である。前者の場合には、ロック解除レバーの解除操作端をロックレバー側に押し上げてロックを解除し、後者の場合には、ロックレバーの解除操作端を押し下げてロックを解除する。
【００１０】
本発明の課題解決手段において、前記ロック部材は、前記支持部材の外側に配置されていてもよいし、前記支持部材の内部に配置されていてもよい。
【００１１】
本発明の課題解決手段において、前記受け部材の嵌合部は、前記ロック部材による前記受け部材の押圧に伴って前記支持部材に圧接して前記受け部材と前記支持部材との間の抵抗を増大して前記受け部材の前記支持部材に対するロックを補助することができる。
【００１２】
本発明の課題解決手段において、前記ロック部材は、前記受け台又は嵌合部が前記支持部材に面する壁面と前記支持部材との間に形成されて上方に向けて次第に幅狭となるテーパ状の空間内に配置され、前記ロック部材は、前記ロックレバーの第１の方向への角度変位によって前記テーパ状の空間の幅狭方向に変位して前記受け部材を前記支持部材にロックして前記受け台を前記支持部材に固定し、前記ばねに抗して前記ロックレバーの前記第２の方向への角度変位によって前記テーパ状の空間内を幅広方向に変位して前記受け台の前記支持部材へのロックを解除するような形態とすることができる。
【００１３】
本発明の課題解決手段において、前記ロック解除レバーの前記ロックレバーに連携する部分は、前記ロック解除レバーから前記ロックレバーに向けて突出し、前記ロックレバーの相対する面に係合するロックレバー係合部とすることができる。この場合、このロックレバー係合部は、前記ロック解除レバーにねじ込まれた可調節押しねじとするのが好ましい。
【００１４】
本発明の課題解決手段において、前記ロック解除レバーの解除操作端と前記ロックレバーとの間には、前記ロック解除レバーの解除操作端をロック解除側とは反対側に付勢するばねが設けられているのが好ましい。この場合、前記ロック解除レバーの解除操作端は、前記ロックレバーに連携する部分が前記ロックレバーの前記第１の方向に向けて力が働くことがない位置でストッパーによって受け止められていることが望ましい。
【００１５】
本発明の課題解決手段においては、ロック解除レバーの解除操作端を操作することによって、ロック解除レバーがロックレバーに連携する部分を介してロックレバーをばねに抗して押し上げてロックを解除するが、ロック解除レバーは、ロック解除レバーの枢支部付近でロックレバーに連携して、ロック解除レバーの枢支部から解除操作端までの長さをロック解除レバーの枢支部からロックレバーに連携する部分までの長さよりも大きくして梃子の原理を有しているため、ロック解除レバーの解除操作端を小さな力で操作しても梃子の原理による倍力作用が働いてロックレバーを大きな力で押し上げてロックレバーをロック解除側に変位することができる。
【発明の効果】
【００１６】
本発明によれば、受け部材の高さを調節する際に、ロック解除レバーを操作することによりロックレバーを変位させるので、受け部材に対するロック解除レバーの操作部分は、操作しやすい位置に配置されることになって操作が容易になる。また、受け部材のロック手段であるロックレバーは、その自由端を直接手で持ち上げるのではなく、倍力作用を有するロック解除レバーを介して持ち上げられるので、受け台に大きな重量の物体が載置されても、受け台を小さな力で支持部材へのロックから解放することができ、更に、ロック解除レバーは、ロックレバーにほぼ平行した状態に位置するので、受け台やロックレバーを大型化することなく、受け台の高さの位置替えを容易に行うことができる。
【図面の簡単な説明】
【００１７】
【図１】本発明の物体の位置可調節受け止め具の斜視図である。
【図２】図１の受け止め具の分解斜視図である。
【図３】図１の受け止め具を下方から俯瞰した分解斜視図である。
【図４】本発明の受け止め具の垂直断面図であり、同図（Ａ）は、受け台のロック状態を示し、同図（Ｂ）は、受け台のロック解除状態を示す。
【図５】図４（Ａ）の５−５線断面図である。
【図６】図４（Ｂ）のロックレバー連携部の拡大図である。
【図７】図１乃至図４の実施形態においてロック解除レバーを変形した変形例による物体の位置可調節受け止め具の垂直断面図である。
【図８】本発明の他の実施形態による物体の位置可調節受け止め具の垂直断面図である。
【図９】本発明の物体の位置可調節受け止め具の一使用例の斜視図である。
【発明を実施するための形態】
【００１８】
本発明の実施の形態を図面を参照して詳細に述べると、本発明の物体の位置可調節受け止め具１０は、例えば、図９に示すように、広告用等の大型ディスプレイ１００を載置して受け止める柱状の基台の形態である支持部材２０に取り付けられているのが示されているが、載置されるべき物体及び支持部材２０は、図９の例に限定されるものではない。
【００１９】
本発明の一つの実施の形態による物体の位置可調節受け止め具１０は、図１乃至図３に示されており、この受け止め具１０は、支持部材２０の縦溝２０Ｇ内に摺動自在に嵌合された嵌合部３２とこの嵌合部３２と一体であって支持部材２０から水平に突出する受け台３４とから成る受け部材３０と、受け部材３０を支持部材２０の所定高さ位置で支持部材２０に解放自在にロックして固定するロック手段４０とを備えている。
【００２０】
支持部材２０は、図示の形態では、図１乃至図３の切り口から解るように、中心のパイプ状角形心材２０Ｃから４つのスポーク２０Ｓを介して一体に連結されている４つのＬ字形枠材２０Ｆとから成っており、隣り合う２つのＬ字形枠材２０Ｆ１、２０Ｆ２とこれらの枠材２０Ｆ１、２０Ｆ２を心材２０Ｃに連結するスポーク２０Ｓ１、２０Ｓ２との間に受け部材３０の嵌合部３２が嵌合される縦溝２０Ｇを形成している。縦溝２０Ｇは、略台形の横断面を有し、これに伴って嵌合部３２も略台形の横断面を有する。図５から解るように、縦溝２０Ｇの台形の底部２０Ｇ１と嵌合部３２の台形の底部３２ａとは、相対していて、後に述べるように、受け部材３０のロック時に嵌合部３２の台形底部３２ａが支持部材２０の縦溝２０Ｇの台形底部２０Ｇ１に衝合して受け部材３０と支持部材２０との間の７摩擦抵抗を大きくしている。
【００２１】
受け台３４は、支持部材２０の隣り合う枠材２０Ｆ１、２０Ｆ２の間の隙間（開口）２０ＧＳを貫通する連結部３６によって嵌合部３２に一体となるようにして嵌合部３２に連結されている。この受け台３４は、図３に示すように、下面が開口している箱の形態を有しており、後に述べるロック手段４０は、この箱形の受け台３４内に配置されている。
【００２２】
ロック手段４０は、受け台３４に枢支ピン４２Ｐによって枢支されたロックレバー４２と、受け台３４の支持部材に面する壁面３４ＷＳと支持部材２０の隣り合う枠材２０Ｆ１、２０Ｆ２の外壁面との間に形成されて上方に向けて次第に幅狭となるテーパ状の空間４４（図４（Ａ)(Ｂ)参照）と、ロックレバー４２に取り付けられてテーパ状の空間４４内に配置されるロック部材４６と、ロックレバー４２をロック方向に付勢するばね４８とを含んでいる。
【００２３】
ロックレバー４２は、図３及び図４から解るように、受け台３４の内部空間３４Ｓ内に配置され、枢支ピン４２Ｐは、受け台３４の内部空間３４Ｓに設けられた１対の隔壁３４Ｗに支持されている。図３から解るように、ロックレバー４２は、１対の隔壁３４Ｗの間の間隔よりも若干小さい幅寸法を有し、ロックレバー４２は、この１対の隔壁３４Ｗを貫通して内部空間３４Ｓ内に配置されている。なお、図４から解るように、枢支ピン４２Ｐは、ロックレバー４２の長孔４２Ｈを貫通しており、この長孔４２Ｈは、後に述べるように、ロック部材４６がテーパ状の空間４４の幅狭部分に楔状に押し込まれる（食い込む）際に、ロック部材４６がテーパ状空間４４の相対する壁に均等に圧力が掛るように水平方向に変位するのを許すのに必要である。
【００２４】
テーパ状の空間４４のテーパは、図３及び図４（Ａ）(Ｂ)から解るように、隔壁３４Ｗの枠材２０Ｆ１、２０Ｆ２に対向する面を下から上に向けて枠材２０Ｆ１、２０Ｆ２に接近するように傾斜して形成されている。従って、このテーパ状の空間４４は、この隔壁３４の傾斜面によって下から上に向けて幅が小さくなるように設定される。
【００２５】
ロック部材４６は、図２乃至図４に示すように、ロックレバー４２の一端に取り付けられており、図示の形態では、このロック部材４６は、テーパ状の空間４４を囲む壁を滑動するローラ４６Ｒから成っている。ばね４８は、ロックレバー４２の他端と受け台３４の内壁との間に配置され、ロック部材４６がテーパ状空間４４の幅狭方向に上向きに変位するようにロックレバー４２を図４（Ａ）の反時計方向（第１の方向）に枢動(角度変位)するように付勢してロック部材４６であるローラ４６Ｒがテーパ状の空間４４の幅狭部分の相対する壁を相互に反対方向に押圧して押し広げるように楔状に食い込んで受け部材３０を支持部材２０の所定高さ位置に固定している。
【００２６】
この場合、受け部材３０の嵌合部３２の台形底面３２ａは、ロック部材４６による受け部材３０の押圧に伴って支持部材２０の縦溝２０Ｇの台形底面２０Ｇ１に圧接するため、受け部材３０と支持部材２０との間の抵抗が増大して受け部材３０の支持部材２０に対するロック機能が助長される。
【００２７】
ロックレバー４２の自由端(上記の他端)をばね４８に抗して図４（Ｂ）の時計方向（第２の方向）に枢動（角度変位）して押し上げると、ロック部材４６であるローラ４６Ｒは、テーパ状の空間４４内を幅広方向に下向きに向きに変位してこの幅広部分の壁面に対する圧力が緩むので、受け部材３０の支持部材２０に対するロックが解除される。なお、図４（Ａ）のロック状態と図４（Ｂ）のロック解除状態とでローラ４６Ｒの空間４４内での上下方向の変位は、目視では判別することができない程僅かであるが、このような小さな変位でも、楔作用から解放されることは認識すべきである。
【００２８】
本発明の受け止め具においては、ロック手段４０は、受け台３４の内部空間３４Ｓ内に配置されたロック解除レバー５２を更に備え、このロック解除レバー５２は、受け台３４内でロックレバー４２のばね受け端付近に枢支ピン５２Ｐによって枢支されており、且つロックレバー４２のばね受け端側をロック解除方向に変位するようにロックレバーに連携するロックレバー連携部５４を有する。このロック解除レバー５２の解除操作端（枢支部から離れた端部）は、がたつきが生じることがないように、ピンの形態のストッパー５６で下支えされており、この状態では、ロックレバー連携部５４がロックレバー４２を押し上げるような力が働くことがないように保持される。枢支ピン５２Ｐとストッパー５６は、図４から解るように、箱形の受け台３４の両側壁に支持されている。
【００２９】
図示の形態では、ロック解除レバー５２のロックレバー連携部５４は、ロック解除レバー５２の枢支部に近い部分であってロック解除レバー５２にねじ込まれた可調節押しねじ５４Ｓから成っていてその頭部５４ＳＨがロック解除レバー５２の上面からロックレバー４２に向けて突出してロックレバー４２に係合しているが（図６参照）、このロックレバー連携部５４は、ロック解除レバーの上面から一体的に突出する突部であってもよい。ロックレバー連携部５４が可調節押しねじ５４Ｓであると、ロックレバー４２とロックレバー連携部５４との間の間隔を調整してロックレバー４２とロック解除レバー５２との相互関係を自由に設定することができるので好ましい。
【００３０】
また、図示の形態では、ロック解除レバー５２の解除操作端とロックレバー４２との間には、ロック解除レバー５２をストッパー５６に押しつけるようにロック解除レバー５２を付勢するばね５８が設けられているが、図示のように、ロック解除レバー５２が解除操作端に向けて厚みを増して解除操作端側の質量が大きくなっている場合には、ロック解除レバー５２は、自重でストッパー５６に向けて下降するので、ばね５８は省略してもよい。
【００３１】
本発明の上記の実施の形態による受け止め具１０は、ロックレバー４２の自由端側に係合するロックレバー連携部５４を枢支部付近に有するロック解除レバー５２を備えているので、ロック解除レバー５２をストッパー５６から離す方向に押し上げると、ロック解除レバー５２の枢支部付近にあるロックレバー連携部５４がロックレバー４２をばね４８に抗して押し上げてロックを解除するが、ロックレバー連携部５４は、ロック解除レバー５２の枢支部付近に位置するため、ロック解除レバー５２のストッパー側の自由端を小さな力で押し上げても、ロックレバー連携部５４には梃子の原理による倍力作用が働いてロックレバー４２を大きな力で押し上げてロックレバー４２をロック解除側に変位し、ロック部材４６を小さな力でロック解除位置に変位させることができる。従って、受け台３４に大きな重量の物体が載置されてロックがきつくなっても小さな力で容易にロックを解除することができる。
【００３２】
また、ロック解除レバー５２は、ロックレバー４２の下方にほぼ平行にして受け台３４内に配置されているので、受け台３４は大型化することなく、またロックレバー４２は、長くする必要がなく、従って、受け部材のロックの解除作業や受け台の位置替え作業を容易に行うことができる。
【００３３】
本発明の上記実施の形態においてロック解除レバーを変形した変形例が図７に示されており、この変形例では、ロックレバー連携部５４がロック解除レバー５２の枢支部（枢支ピン５２Ｐで枢支された部分）に対して解除操作端と反対側に設けられていることを除いて図１乃至図６の実施例と同じである。ただし、この場合、受け台３４のロックの解除は、ロック解除レバー５２の解除操作端（グリップ）５２Ｇを押し下げて行うので、図１乃至図６の実施例とは、解除時のロック解除レバー５２の動きが逆となる。ロックレバー連携部５４がロック解除レバー５２の枢支部付近にあるので、ロックレバー４２には小さな力で解除方向の力を付与することができることは先の実施例と同じである。
【００３４】
本発明の他の実施の形態が図８に示されており、この実施の形態では、ロック部材４６が押し込まれる空間４４は、支持部材の枠材２０Ｆ１，２０Ｆ２の内面と受け部材２０の嵌合部３２から下方に延びる延長片３２Ｅの内面との間に形成されていることを除いて図１乃至４の実施の形態と同じである。換言すると、図１乃至４の実施の形態では、ロック部材４６が配置される空間４４が支持部材２０の外側にあるが、図７の実施の形態では、空間４４が支持部材２０の内部にある。この実施の形態の動作は、図１乃至４の実施の形態と同じであるので、その詳細な説明は省略する。なお、この実施の形態では、物体は、棚板１００Ａであるのが示されているが、棚板に限定されないことはもちろんである。図中、符号３４Ｐは、棚板１００Ａの孔に係入して棚板１００Ａを位置決めする突起である。この実施の形態でも、受け台３４のロック時に、嵌合部３２及びその延長片３２Ｅが支持部材２０の縦溝２０Ｇの台形頂面部分に押しつけられるので、この部分の摩擦抵抗が増大してロック作用が補助される。
【００３５】
なお、上記の実施の形態では、受け部材の支持部材に対するロックは、テーパ状の空間４４を囲む壁とこの空間４４内に楔作用を達成するように食い込む形態のロック部材４６とで行っているが、空間４４はテーパ状とすることなく、ロック部材は、ロックレバー４２の角度変位で支持部材２０の枠材２０Ｆ１、２０Ｆ２の壁面に押し付けられたり、押し付けが緩められたりする楔又は偏心カムから成っていてもよい。
【００３６】
また、ロック解除レバー５２とロックレバー４２との連携は、ロック解除レバー５２に突出する形態のロックレバー係合部ではなく、ロック解除レバーの枢支部に対して解除操作端とは反対側の端部自体をロックレバーの下面に直接係合して行ってもよく、またロックレバーの下面に係合する形態ではなく、ロック解除レバーの枢支部付近とロックレバー４２の自由端とをリンク機構で連結する形態であってもよい。この場合、このリンク機構は、ロック時にロックレバー４２とロック解除レバー５２が干渉することがないように長孔等で両者を連携することが必要である。
【産業上の利用可能性】
【００３７】
本発明によれば、ロック解除レバーを操作することによりロックレバーを変位させるので、受け部材に対してロック解除レバーの操作部分を操作しやすい位置に配置することが容易になる。また、受け部材を支持部材にロックするロック部材を有するロックレバーの自由端をロック解除レバーに連携させてロック解除レバーの解除操作端を操作することによってロックレバーに解除力を付与しているので、小型の受け台やロックレバーのままで小さな力で受け部材と支持部材とのロックを解除することができ、高い産業上の利用性を有する。
【符号の説明】
【００３８】
１０  物体の位置可調節受け止め具
２０  支持部材
２０Ｃ  角形心材
２０Ｓ、２０Ｓ１、２０Ｓ２  スポーク
２０Ｆ、２０Ｆ１、２０Ｆ２  枠材
２０Ｇ  縦溝
２０Ｇ１  縦溝の横断台形の底面
２０ＧＳ  隙間（開口）
３０  受け部材
３２  嵌合部
３２ａ  嵌合部の横断台形の底面
３４  受け台
３４Ｓ  受け台内の空間
３４Ｗ  隔壁
３４ＷＳ  隔壁の支持部材に面する壁面
３４Ｐ  位置決め用突起
３４ＷＳ  受け台が支持部材に面する壁面
３６  連結部
４０  ロック手段
４２  ロックレバー
４２Ｐ  枢支ピン
４２Ｈ  長孔
４４  テーパ状の空間
４６  ロック部材
４６Ｒ  ローラ
４８  ばね
５２  ロック解除レバー
５２Ｐ  枢支ピン
５２Ｇ  ロック解除レバーのグリップ
５４  ロックレバー連携部  
５４Ｓ  可調節押しねじ
５４ＳＨ  頭部
５６  ストッパー
５８  ばね
１００  大型ディスプレイ
１００Ａ  棚板
【図１】
2017227246.tif 000003
【図２】
2017227246.tif 000004
【図３】
2017227246.tif 000005
【図４】
2017227246.tif 000006
【図５】
2017227246.tif 000007
【図６】
2017227246.tif 000008
【図７】
2017227246.tif 000009
【図８】
2017227246.tif 000010
【図９】
2017227246.tif 000011
【手続補正書】
【提出日】平成28年7月5日(2016.7.5)
【手続補正１】
【補正対象書類名】特許請求の範囲
【補正対象項目名】請求項１
【補正方法】変更
【補正の内容】
【請求項１】
支持部材の縦溝内に摺動自在に嵌合された嵌合部と前記嵌合部と一体であって支持部材から突出する受け台とから成る受け部材と、前記受け部材を前記支持部材の所定高さ位置で前記支持部材に解放自在にロックして固定するロック手段とを備え、前記ロック手段は、前記受け台に枢支されたロックレバーと、前記ロックレバーを第１の方向に枢動するように付勢するばねと、前記ロックレバーの一端に取り付けられ前記ロックレバーのばね付勢によって前記受け部材と前記支持部材との相対する壁を相互に反対方向に押圧するように前記受け部材と前記支持部材との間に押し込んで前記受け部材を前記支持部材にロックするロック部材とを含み、前記ばねに抗して前記ロックレバーを前記第１の方向とは反対の第２の方向に枢動して前記ロック部材が前記受け部材と前記支持部材との間の押し込みを緩めて前記受け部材の前記支持部材に対するロックを解除することができる物体の位置可調節受け止め具において、前記受け台に枢支されたロック解除レバーを備え、前記ロック解除レバーは、前記ロックレバーを前記ばねに抗して前記第２の方向に変位するように前記ロックレバーに連携して前記ロックレバーのロックを解除するようにしたことを特徴とする物体の位置可調節受け止め具。